(57)【要約】【課題】  立木周辺の雑草等を機械的に効率良く刈り取りできて、その作業性を大幅に向上させ得る回転刃を提供する。【解決手段】  円盤状の台金の外周部に設けた多数のチップ固着用凹所に超硬からなるチップがそれぞれ固着される回転刃において、チップは、略直方体形状に形成され、そのすくい面のすくい角が零もしくはマイナスに設定されると共にその逃げ面が台金の外周縁と略同一線上に位置し、かつ台金の板厚方向に突出する状態でチップ固着用凹所に固着される。前記チップの横すくい角が零もしくはプラスに設定され、前記台金の外周縁で隣り合うチップ間に少なくとも１個の凹所が設けられる。【選択図】  図１
2006223242.tif 000002
【特許請求の範囲】
【請求項１】
円盤状の台金の外周部に設けた多数のチップ固着用凹部に超硬からなるチップがそれぞれ固着される回転刃において、
前記チップは、略直方体形状に形成され、そのすくい面のすくい角が零もしくはマイナスに設定されると共に、すくい面と逃げ面の交差部分で形成される歯先部分が台金の外周縁と略同一線上に位置し、かつ台金の板厚方向に突出する状態で前記チップ固着用凹部に固着されていることを特徴とする回転刃。
【請求項２】
前記チップは、その横すくい角が零もしくはプラスに設定されていることを特徴とする請求項１に記載の回転刃。
【請求項３】
前記台金の外周縁で隣り合うチップ間に台金の中心位置方向に窪んだ少なくとも１個の凹所が設けられると共に、前記台金の外周部でチップより台金の中心位置方向の所定位置に台金の板厚方向に開口した孔が設けられていることを特徴とする請求項１または２に記載の回転刃。
【請求項４】
前記チップ固着用凹部の回転方向の前方側に、所定幅の歯室が設けられていることを特徴とする請求項１ないし３のいずれかに記載の回転刃。
【発明の詳細な説明】
【技術分野】
【０００１】
本発明は、円盤状の台金の外周部にチップが固着されて、道路の中央分離帯、公園あるいは一般家庭の庭等に植えられている立木周辺の雑草等を刈り取る際に使用される回転刃に関する。
【背景技術】
【０００２】
従来、雑草等を刈り取るための回転刃としては、例えば図８及び図９に示すようなチップソー１０１が使用されている。このチップソー１０１は、円盤状の台金１０２の外周部に窪み状の歯室１０２ａを一定間隔で設け、この歯室１０２ａの外周側に形成したチップ固着用凹部１０４にチップ１０３がそれぞれロウ付け固着されている。そして、チップ１０３は、すくい角θ１（θ１＞０）のすいく面１０３ａと逃げ角θ２（θ２＞０）の逃げ面１０３ｂを有して、すくい面１０３ａと逃げ面１０３ｂの交差部分である歯先部分１０３ｃが、台金１０２の外周縁から外側に所定寸法突出して固着され、このチップ１０３の回転によってチップソー１０１に所定の切れ味が得られるようになっている。
【特許文献１】特開平８−２０５６５２号公報
【発明の開示】
【発明が解決しようとする課題】
【０００３】
しかしながら、このようなチップソー１０１にあっては、チップ１０３に設けたすくい角θ１や逃げ角θ２により、雑草等を所定の切れ味で良好に切断するように構成されているため、例えば道路の中央分離帯に植えられている立木周辺の雑草等を刈り取る場合、チップ１０３の歯先部分１０３ｃによって立木自体を傷付ける場合があり、雑草だけを効率良く刈り取ることができない。その結果、このような立木周辺での雑草の刈り取りは、極めて面倒で作業性が劣る手作業によって行っているのが実情であり、その改善が要望されている。
【０００４】
本発明は、このような事情に鑑みてなされたもので、その目的は、立木周辺の雑草等を機械的に効率良く刈り取りできて、その作業性を大幅に向上させ得る回転刃を提供することにある。
【課題を解決するための手段】
【０００５】
かかる目的を達成すべく、本発明のうち請求項１に記載の発明は、円盤状の台金の外周部に設けた多数のチップ固着用凹所に超硬からなるチップがそれぞれ固着される回転刃において、前記チップは、略直方体形状に形成され、そのすくい面のすくい角が零もしくはマイナスに設定されると共に、すくい面と逃げ面の交差部分である歯先部分が台金の外周縁と略同一線上に位置し、かつ台金の板厚方向に突出する状態で前記チップ固着用凹部に固着されていることを特徴とする。
【０００６】
また、請求項２に記載の発明のように、前記チップの横すくい角が零もしくはプラスに設定されていることが好ましく、また、請求項３に記載の発明のように、前記台金の外周縁で隣り合うチップ間に台金の中心位置方向に窪んだ少なくとも１個の凹所が設けられると共に、前記台金の外周部でチップより台金の中心位置方向の所定位置に台金の板厚方向開口した孔が穿設されていることが好ましい。さらに、請求項４に記載の発明のように、前記チップ固着用凹部の回転方向の前方側に、所定幅の歯室が設けられていることが好ましい。
【発明の効果】
【０００７】
本発明のうち請求項１に記載の発明によれば、すくい面のすくい角が零もしくはマイナスに設定されると共にその歯先部分が台金の外周縁と略同一線上に位置し、かつ台金の板厚方向に突出する状態で、略直方体形状のチップが台金外周部に設けたチップ固着用凹部に固着されているため、チップの歯先部分が刃として機能せず、台金の外周縁が立木等に接触したとしてもその傷付きを抑えつつ、板厚方向に突出したチップの側面によって雑草等を切断でき、立木周辺の雑草等の刈り取りを機械的に効率良く行うことができる。
【０００８】
また、請求項２に記載の発明によれば、請求項１に記載の発明の効果に加え、チップの横すくい角が零もしくはプラスに設定されているため、台金の板厚方向に突出したチップの側面に刃の機能を持たせることができて、該チップにより雑草等の刈り取りを良好に行うことができる。
【０００９】
また、請求項３に記載の発明によれば、請求項１または２に記載の発明の効果に加え、台金の外周縁で隣り合うチップ間に少なくとも１個の凹所が設けられると共に、台金の外周部でチップより台金の中心位置方向の所定位置に孔が穿設されているため、チップ間に設けた凹所により土や石等を跳ね飛ばすことができると共に凹所にも刃の機能を付加できて、雑草等の刈り取りを一層良好に行うことができる。また、台金の板厚方向に貫通した孔によりチップ固着時の台金の変形や歪みを吸収できて、台金の外周部にチップを良好な状態で固着できる。
【００１０】
さらに、請求項４に記載の発明によれば、請求項１ないし３に記載の発明の効果に加え、チップ固着用凹部の回転方向の前方側に、例えばチップの前後幅と略同一幅の歯室が設けられているため、歯室によりチップのすくい面の一部に刃の機能を付加できて、雑草等の刈り取りをより一層良好に行うことができる。
【発明を実施するための最良の形態】
【００１１】
以下、本発明の実施の形態を図面に基づいて詳細に説明する。
図１〜図４は、本発明に係わる回転刃の一実施形態を示し、図１がその側面図、図２がその台金外周部の拡大側面図、図３が図２のＡ−Ａ線に沿った断面図、図４が図３のＢ−Ｂ線に沿った断面図である。
【００１２】
図１及び図２に示すように、回転刃１は、中心位置に仮払い機に取り付けるための取付孔２ａが穿設された台金２と、この台金２の外周部にロウ付け固着された超硬からなる多数のチップ３を有している。前記台金２は、鋼板によって円盤状に形成され、その外周部に一定間隔（もしくは所定間隔）で前面、後面及び底面の３つの面を有する矩形形状のチップ固着用凹部４が形成されると共に、隣り合うチップ固着用凹部４間に台金２の取付孔２ａ方向に窪んだ略半円形状の凹所５が２個形成されている。また、台金２のチップ固着用凹部４の内側（前記取付孔２ａ側）には、所定内径の円形の孔６が板厚方向に貫通する状態で形成されている。
【００１３】
また、前記チップ３は、図２〜図４に示すように、直交状態でその交差部分に刃先部分３ｃを形成するすくい面３ａ及び逃げ面３ｂと、両側面３ｄ、後面３ｅ（反すくい面）、下面３ｆ（反逃げ面）によって略直方体形状に形成されると共に、例えばすくい面３ａには溝状の嵌合部３ｇ（図４参照）が形成されている。そして、このチップ３は、その嵌合部３ｇが台金２のチップ固着用凹部４の前面に嵌合されると共に、後面３ｅと下面３ｆがチップ固着用凹部４の後面と底面に密着した状態で、例えば高周波の誘導加熱によりロウ付け固着されている。
【００１４】
このチップ３のチップ固着用凹部４への固着状態において、図２に示すように、チップ３のすくい面３ａは、そのすくい角θ１が「零」となるように設定されると共に、逃げ面３ｂの逃げ角θ２も「零」となり、かつ逃げ面３ｂが台金２の外周縁２ｂと面一に設定されて、チップ３の歯先部分３ｃが台金２の外側に突出しないように設定されている。また、固着状態のチップ３は、図３及び図４に示すように、厚さ（両側面３ｄ間の寸法）が台金２の板厚より大きく設定されることにより、両側面３ｄが台金２の表裏面に所定寸法突出するように設定されており、このチップ３の突出部分で形成される横すくい面３ａ１の横すくい角θ３が「零」に設定されている。この横すくい角θ３によって、回転するチップ３に切断機能が得られることになる。
【００１５】
このように構成された回転刃１は、次のようにして製造されると共に仮払い機に取り付けられて使用される。すなわち、先ず、回転刃１の製造は、予めチップ固着用凹部４や凹所５及び孔６をプレス等により打ち抜き加工して円盤状の台金２を作成すると共に、直方体形状のチップ３を作成する。そして、チップ３を台金２のチップ固着用凹部４に、チップ３の嵌合部３ｇを利用して位置決めしつつ嵌め込み、該嵌め込み部分を高周波により誘導加熱してロウ付けする。この時、台金２のチップ３の内側に孔６が形成されていることから、この孔６で誘導加熱による台金２の外周部の反り等の熱変形を抑えることができて、台金２の平坦な外周部にチップ３が固着された状態となる。このチップ３を固着した後に、チップ３の両側面を研磨等することにより、回転刃１が製造される。
【００１６】
そして、この回転刃１は、台金２の取付孔２ａを図示しない仮払い機の回転軸に取り付けて所定の回転数で回転方向イに回転させることにより使用され、刃として機能するチップ３の横すくい面３ａ１と凹所５の側面５ａ（図２参照）とにより雑草が刈り取られる。この時、回転刃１の裏面側を雑草が生えている地面に軽く押さえ付けることにより、地面上の石等が凹所５によって跳ね飛ばされつつ凹所５内に進入した雑草等が側面５ａで切断されると共に、チップ３の横すくい面３ａ１により切断されて雑草が刈り取られる。
【００１７】
また、チップ３の歯先部分３ｃが台金２の外周縁から外方に突出せず、側面視で台金２のチップ固着用凹部４に埋設状態とされているため、歯先部分３ｃが刃として機能せず、仮に回転刃１の外周部が立木等に接触したとしても、立木等に傷を付けることもなく、立木回りの雑草のみを刈り取ることができる。これにより、従来のチップソー１０１では困難であった、立木周辺の雑草を立木を傷付けることなく仮払い機により機械的に刈り取ることが可能となる。
【００１８】
なお、以上の説明では、チップ３のすくい角θ１を「零」に設定したが、例えば図２に二点鎖線で示すように、所定のマイナス角度（台金２の取付孔２ａの中心とチップ３のすくい面３ａを結ぶ直線Ｌに対して回転方向イの後方側となる角度）に設定して、チップ３のすくい面３ａ（歯先部分３ｃ）を刃として機能させない構成とすることもできる。
【００１９】
また、チップ３の横すくい角３ａ１も「零」に限らず、例えば図４に二点鎖線で示すように、所定のプラス角度に設定して、その切れ味を向上させることもできる。さらに、各チップ３の台金２の表裏面から突出する寸法（すくい面３ａの面積）を、図示する値より大きく設定することもできるし、チップ３の突出方向を例えば台金２の裏面側のみとしたり、台金２の表裏において交互とする等、要求される切れ味等に応じて適宜の形状や構造を採用することができる。
【００２０】
このように、上記実施形態の回転刃１にあっては、台金２の外周部に固着されるチップ３のすくい面３ａのすくい角θ１が零もしくはマイナスに設定されると共に、その逃げ面３ｂが台金２の外周縁２ｂと略同一線上に位置し、かつ台金２の板厚方向に突出した横すくい面３ａ１を有するように設定されているため、チップ３の歯先部分３ｃが刃として機能せず、台金２の外周縁２ｂが立木等に接触したとしてもその傷付きを抑えつつ、板厚方向に突出したチップ２の横すくい面３ａ１等によって雑草を刈り取ることができる。
【００２１】
特に、チップ３の横すくい角θ３が零もしくはプラスに設定されていることから、台金２の板厚方向に突出したチップ３の側面３ｃに刃の機能を持たせることができて、該チップ３により雑草等の刈り取りを良好に行うことができると共に、チップ３にプラスの横すくい角θ３を設けるように構成することで、雑草等の切れ味を所望に向上させることができる。その結果、立木周辺の雑草等の刈り取りを仮払い機により機械的に効率良く行うことができて、高速道路や一般道路の中央分離帯（側帯も含む）や、公園内の立木植林地、一般家庭の庭等の雑草刈り取り用として、例えば造園業者等が好適に使用することが可能となる。
【００２２】
また、台金２の外周縁２ｂで隣り合うチップ３間に少なくとも１個の凹所５が設けられているため、チップ３間に設けられた凹所５により土や石等を跳ね飛ばすことができると共に凹所５の側面５ａにも刃の機能を付加できて、雑草等の刈り取りを一層良好に行うことができる。また、台金２の外周部でチップ３より内側に孔６が穿設されているため、台金２の板厚方向に貫通した孔６により、誘導加熱等によるチップ固着時の台金２自体の変形や歪みを吸収できて、台金２の外周部を歪みの無い平坦な面に形成して良好なチップ固着状態が得られ、回転刃１の回転を安定させることができる。
【００２３】
さらに、台金２の外周部で凹所５間に超硬からなるチップ３が固着されているため、台金２の外周部の強度アップを図ることができて、使用による外周縁２ｂの摩耗を極力抑えて、長期に亘り安定して使用可能な回転刃１を得ることができる。また、全体構造が従来のチップソー１０１と略同一に形成されているため、チップソー１０１と同感覚で立木周辺の雑草等の刈り取り作業を行うことができて、使い勝手に優れた回転刃１を得ることが可能となる。
【００２４】
図５〜図７は、本発明に係わる回転刃のそれぞれ他の実施形態を示している。なお、上記実施形態と同一部位には、同一符号を付して説明する。先ず、図５に示す実施形態の回転刃１の特徴は、台金２のチップ３内側に設けられる前記孔６を、凹所５の内側にも設けるようにした点にある。この実施形態の回転刃１においても、チップ３のすくい角θ１や逃げ角θ２等を前述したように所定に設定することにより、上記実施形態と同様の作用効果を得ることができると共に、凹所５の内側に設けた孔６により、チップロウ付け時の台金外周部の熱変形を一層確実に防止できると共に、回転時に凹所５やチップ３に加わる衝撃を各孔６によって一層緩和できるという作用効果が得られる。
【００２５】
また、図６に示す実施形態の回転刃１の特徴は、台金２の外周部に設けられる凹所５の形状を半円弧形状ではなく略Ｕ字形状に形成した点にある。この実施形態の回転刃１においても、チップ３のすくい角θ１や逃げ角θ２等を前述したように所定の設定することにより、上記実施形態と同様の作用効果を得ることができると共に、比較的深底の凹所５によって石等を効果的に跳ね飛ばすことができたり、凹所５の回転方向イの後方側の側面５ａを刃として有効利用できて、一層良好な切れ味を得ることができるという作用効果が得られる。
【００２６】
さらに、図７に示す実施形態の回転刃１の特徴は、台金２のチップ固着用凹部４で回転方向イの前方側に歯室７を設け、チップ３のすくい面３ａの先端側を歯室７内に開放させた点にある。この時、歯室の幅ｗ２は、チップ３の前後幅ｗ１と略同一の比較的小さな歯室として形成される。この実施形態の回転刃１においても、チップ３のすくい角θ１や逃げ角θ２等を前述したように所定に設定することにより、上記実施形態と同様の作用効果を得ることができると共に、歯室７によりチップ３のすくい面３ａの一部を開放できて、該開放部分に刃としての機能を持たせることができ、雑草等をより一層良好に刈り取りできるという作用効果が得られる。この実施形態の凹部の幅ｗ２や形状は、回転刃１に要求される切断能力に応じて適宜に変更できる。
【００２７】
このように本発明に係わる回転刃１の凹所５や孔６の形状、位置や個数等は一例であって、適宜の形状や構造を採用することができるし、本発明は上記した各実施形態のそれぞれに限定されるものでもなく、例えば図１に示す実施形態と図７に示す実施形態を組み合わせる等、各実施形態の一部もしくは全部を適宜に組み合わせた構成とすることもできる。また、上記各実施形態においては、チップ３の逃げ面３ｂが台金２の外周縁２ｂと面一である場合について説明したが、例えば図２の二点鎖線で示すように、外周縁２ｂに対してチップ３の逃げ面３ｂを寸法ｈ僅かに突出させる構成とすることもできる。
【００２８】
さらに、上記各実施形態において、凹所５の側面５ａに刃の機能を付加することにより凹所内に進入した雑草等の刈り取り能力を高めるように構成しても良いし、本発明の回転刃１の用途は、立木周辺の雑草の刈り取りに限定されず、例えばブロック塀等で囲われた地面上の雑草等の刈り取りにも使用することができる。また、上記各実施形態における、チップ３自体やチップ固着用凹部４の形状、チップ３のチップ固着用凹部４への固着構造等は一例であって、本発明に係わる各発明の要旨を逸脱しない範囲において適宜に変更することができる。
【産業上の利用可能性】
【００２９】
本発明は、台金に反り防止用の開口やスリット等が形成された回転刃、あるいは台金の外周部がホーニング処理されたり台金自体に適宜の防塵処理が施された各種の回転刃にも適用できる。
【図面の簡単な説明】
【００３０】
【図１】本発明に係わる回転刃の一実施形態を示す側面図
【図２】同その台金外周部の拡大側面図
【図３】同図２のＡ−Ａに沿った断面図
【図４】同図３のＢ−Ｂ線に沿った断面図
【図５】本発明に係わる回転刃の他の実施形態を示す側面図
【図６】本発明に係わる回転刃のさらに他の実施形態を示す側面図
【図７】本発明に係わる回転刃のさらに他の実施形態を示す側面図
【図８】従来のチップーの全体形状を示す側面図
【図９】同その台金外周部の拡大側面図
【符号の説明】
【００３１】
１・・・・・回転刃
２・・・・・台金
２ａ・・・・取付孔
２ｂ・・・・外周縁
３・・・・・チップ
３ａ・・・・すくい面
３ａ１・・・横すくい面
３ｂ・・・・逃げ面
３ｃ・・・・歯先部分
３ｄ・・・・側面
４・・・・・チップ固着用凹部
５・・・・・凹所
６・・・・・孔
７・・・・・歯室
θ１・・・・すくい角
θ２・・・・逃げ角
θ３・・・・横すくい角
【図１】
2006223242.tif 000003
【図２】
2006223242.tif 000004
【図３】
2006223242.tif 000005
【図４】
2006223242.tif 000006
【図５】
2006223242.tif 000007
【図６】
2006223242.tif 000008
【図７】
2006223242.tif 000009
【図８】
2006223242.tif 000010
【図９】
2006223242.tif 000011